(57)【特許請求の範囲】
【請求項１】
室内外を仕切る仕切構造の室外側に取付けられ、室内側には室内に臨む開口部を有する送風機能を持つ本体と、この本体の前記開口部を室内側において通風可能に被覆する着脱可能のグリルとを備えた換気装置であって、前記本体の開口部には外方へ張出し前記仕切構造の室内側に当接する取付フランジを設け、この取付フランジに前記開口部を囲む円形係合部を形成し、前記グリルにはこの円形係合部に係脱可能に掛止まり、同円形係合部の円周に沿って摺動できる複数の掛止手段を設け、前記本体の開口部に対して前記グリルを前記仕切構造の室内側面と平行な面内で回転できるようにした換気装置。
【請求項２】
請求項１に記載の換気装置であって、掛止手段に円形係合部の略円周に掛止まる主掛止手段と、この主掛止手段より内側に位置する副掛止手段を設けた換気装置。
【請求項３】
請求項１又は請求項２のいずれかに記載の換気装置であって、掛止手段の一つの円形係合部からの脱離により他の掛止手段の円形係合部との係合が仕切構造の室内側面と略平行な面内でのスライドにより全て外れる構成の換気装置。
【請求項４】
請求項１〜請求項３までのいずれかに記載の換気装置であって、本体又はグリルのいずれかにグリルに回転抵抗を付与する抵抗付与手段を設けた換気装置。
【発明の詳細な説明】
【０００１】
【発明の属する技術分野】
本発明は、天井構造や壁構造に埋込み室内の空気を送風により換気する換気装置に関し、特に室内側に着脱可能なグリルを備えた換気装置に関するものである。
【０００２】
【従来の技術】
天井構造や壁構造に埋込まれ室内の空気を送風により換気する従来の換気装置としては例えば、特開平１１―１３２５２４号公報に示されているものを挙げることができる。この換気装置は図６に示すように、本体２と室内側に装着されるグリル３を備えている。本体２は、天井裏の空間等に室内吸込口４を室内に臨ませて取付けられ、組込まれている送風機により室内吸込口４から吸込んだ室内の空気を一側に設けられた排気口部に接続されるダクトを介して室外へ排気するものである。本体２の排気口部は、本体２の一側に着脱可能に装着されたシャッターを組込んだ接続枠により構成されている。本体２の室内吸込口４の口縁には外方へ張出す多角形状の取付フランジ２０が形成されていて、この取付フランジ２０を天井面に沿わせた状態で取付けられる。
【０００３】
グリル３は天井面に開口する室内吸込口４の室内側を通風可能に被覆し、換気装置の室内側意匠を構成する。グリル３の本体２への装着は、グリル３の枠部の数カ所に形成された掛止片（図示しない）を本体２の取付フランジ２０の背面側に形成された係合部２１へ掛止めすることにより行われる。この他にもグリル３の背面側の対向位置に開脚状のＶ型バネを設け、これを本体２に設けられた長孔付きの取付金具に引っ掛けて吊り状態に装着するものもある。
【０００４】
【発明が解決しようとする課題】
上記した従来の換気装置においては、本体２のダクトとの接続方向（排気方向）が決まってしまうと、天井面に対する取付フランジ２０の向きも決まり、グリル３の向きも決まってしまう。そのため天井面の模様や目地の調子にグリル３の向きを合わせることが出来ず、室内側意匠を構成しているグリル３の装着状態での意匠性を生かすことができないといった問題点がある。また、グリル３が樹脂で形成され、掛止片の係合部２１への係合により装着するものでは、対向位置の掛止片を係合部２１から外しグリル３を下方に引き下すことにより取外すことができるようになっているが、この操作に伴ってグリル３の枠部が弾性変形し、対向位置の掛止片を外そうとするとこの掛止片と９０度ずれた位置の掛止片に内側に向かう力が作用し、係合部２１に食い込む形態となるため、グリル３の取外しが難しいといった問題点もある。
【０００５】
本発明は、係る従来の問題点を解決するためになされたものであって、その課題とするところは、グリルの意匠を仕切構造の室内側面の模様や目地等の調子に容易に合わせることができる、取付状態での外観性の良い換気装置を得ることであり、その換気装置のグリルの安定性や取外性の向上を推進することである。
【０００６】
【課題を解決するための手段】
前記課題を達成するために請求項１の発明は、室内外を仕切る仕切構造の室外側に取付けられ、室内側には室内に臨む開口部を有する送風機能を持つ本体と、本体の開口部を室内側において通風可能に被覆する着脱可能のグリルとを備えた換気装置について、その本体の開口部には外方へ張出し仕切構造の室内側に当接する取付フランジを設け、取付フランジに開口部を囲む円形係合部を形成し、グリルにはこの円形係合部に係脱可能に掛止まり、円形係合部の円周に沿って摺動できる複数の掛止手段を設け、本体の開口部に対してグリルを仕切構造の室内側面と平行な面内で回転できるようにする手段を採用する。
【０００７】
前記課題を達成するために請求項２の発明は、請求項１に係る前記手段における掛止手段に円形係合部の略円周に掛止まる主掛止手段と、この主掛止手段より内側に位置する副掛止手段を設ける手段を採用する。
【０００８】
前記課題を達成するために請求項３の発明は、請求項１又は請求項２のいずれかに係る前記手段における掛止手段の一つの円形係合部からの脱離により他の掛止手段の円形係合部との係合が仕切構造の室内側面と略平行な面内でのスライドにより全て外れる構成とする手段を採用する。
【０００９】
前記課題を達成するために請求項４の発明は、請求項１〜請求項３までのいずれかに係る前記手段における本体又はグリルのいずれかにグリルに回転抵抗を付与する抵抗付与手段を設ける手段を採用する。
【００１０】
【発明の実施の形態】
実施の形態１．
図１〜図４によって示す本実施の形態は、天井構造や壁構造等の仕切構造１に埋込み室内の空気を送風により換気する換気装置に関するものである。この換気装置は図１，２に示すように、本体２と室内側に装着されるグリル３を備えている。本体２は、天井裏の空間等に室内に臨む開口部である室内吸込口４を室内に臨ませて取付けられ、組込まれている送風機により室内吸込口４から吸込んだ室内の空気を一側に設けられた排気口部に接続されるダクト（図示しない）を介して室外へ排気する。本体２の排気口部は、本体２の一側に着脱可能に装着されたダクト接続枠５により構成されている。
【００１１】
本体２の室内吸込口４の口縁には外方へ張出す外周が円をなす取付フランジ６が形成されていて、この取付フランジ６の背面を仕切構造１の室内側面に沿わせた状態で図３，４に示すように取付けられる。取付フランジ６の外周には段差をもって室内側において外方へ延出する室内吸込口４を囲む外周が円形に構成された円形係合部７が形成されている。グリル３は本体２の室内吸込口４を室内側において被覆する通風可能な枠体として合成樹脂により円形や多角形の平面形状に形成され、外周部を構成する枠部８には背面側に突出する立上り部９を有し、前面は意匠面として通風構造１０を利用した意匠が施されている。グリル３の立上り部９で囲まれる平面形状は、円形係合部７が略内接する多角形又は円形係合部７が略収まる円形に形成されている。
【００１２】
グリル３の立上り部９の内壁面には図１及び図３に示すように略９０度ずつずれた位置に、断面台形の掛止構造１１が内側に突出して一体に形成されている。掛止構造１１の一方の斜面１２は立上り部９の自由端に続き、他の斜面１３は背面側に向いていて、立上り部９の外方への弾性変形を利用して円形係合部７に外側から滑らせて係合できるように構成されている（図４参照）。対向する二つの掛止構造１１の外側の立上り部９には指先を掛けて押圧するための突起１４がそれぞれ図１に示すように設けられている。掛止構造１１の内面には一面が斜面１２を延長する形態に形成された断面三角形状の小突起１５が形成されている（図３，４参照）。この小突起１５はグリル３が経時劣化等により歪みを生じた場合にグリル３の保持に機能する副掛止手段であり、掛止構造１１は通常においてグリル３の保持に機能する主掛止手段である。
【００１３】
この換気装置は、天井板等の仕切構造１に開設した取付孔１６にまずダクト接続枠５を挿通させてダクトとの接続方向を決めて取付け、この後、ダクト接続枠５に接続できる方向に本体２を取付孔１６に取付フランジ６を室内側にして挿通させ、ダクト接続枠５と接続状態にして取付フランジ６の背面が仕切構造１の室内側面に当接する状態にして取付けた後、グリル３を本体２の室内吸込口４を被覆する状態に室内側に装着することにより取付けられる（図４参照）。
【００１４】
グリル３を装着する前の換気装置は、仕切構造１の取付孔１６の孔縁が背面に当り、円形係合部７と仕切構造１の室内側面とにより図４において符号１７で示す円形のリング溝が形成されている。グリル３を室内側からこの取付フランジ６に合わせ、各掛止構造１１が円形係合部７の外周に当る状態にしてグリル３全体を本体２側へ押圧してやれば、各掛止構造１１の斜面１２を円形係合部７が滑りながら立上り部９を外方へ押し広げ、円形係合部７の段差に各掛止構造１１が係合し、グリル３が図１，３に示すように保持される。この状態のグリル３は円形係合部７に掛止構造１１が係合したまま摺動でき、いずれの方向にも仕切構造１の平面内で３６０度回転させることができる。従って、仕切構造１の室内側の模様や目地の調子にグリル３の意匠面が調和するように自由に回転させて外観性よく装着することができる。部屋の隅の天井入隅部等に換気装置を取付けても、直角をなす壁面に沿ってグリル３の輪郭線を合わせることができ、取付状態の外観性を良好なものにできる。
【００１５】
装着したグリル３は必要に応じ容易に取外すことができる。即ち、突起１４の一つを室内側に押圧し当該部の立上り部９を外方へ弾性変形させれば、掛止構造１１の斜面１３を滑らせて当該掛止構造１１を円形係合部７から外すことができる。こうしておいてから、そのまま仕切構造１の室内側面と略平行な面内で外し方向とは反対方向へスライドさせれば、最初に外した掛止構造１１に対向する掛止構造１１は当該部の円形係合部７から退離して外れ、これに略９０度ずれた位置の各掛止構造１１は円形係合部７から接線方向に退離して外れ、全ての掛止構造１１が外れグリル３を容易に取外すことができる。グリル３の装着にもこの仕方を逆手順によって利用することができる。
【００１６】
なお、掛止構造１１は二個以上構成すれば機能するが、多いと取外しがし難くなり、少ないと装着状態の安定性が低下するため本実施の形態のように四個ほどが好適であるが、掛止構造１１を対向する二個にして、取付フランジ６の外周に設けた切欠きから挿通させてグリル３を回転させるようにしてもよい。また、本実施の形態は給気用の換気装置にも同様な仕方で適用することが可能である。
【００１７】
このように装着したグリル３も、経時劣化等で枠部８に歪みが生じることもある。この場合に掛止構造１１の幾つかが円形係合部７から離脱するとグリル３が落下してしまう恐れがある。しかしながら本実施の形態のグリル３には主掛止手段としての掛止構造１１の他に副掛止手段としての小突起１５が設けられ、これらが円形係合部７に引っ掛かるためグリル３の落下は回避される。
【００１８】
実施の形態２．
図５に示す本実施の形態の換気装置は、装着状態のグリル３に適度な回転抵抗を付与し、振動などで簡単に回転しないようにする工夫を講じたもので、それに係る構成以外は実施の形態１のものと同じである。従って、実施の形態１のものと同じ部分については実施の形態１のものと同じ符合を用い、それらについての説明は省略する。
【００１９】
グリル３に適度の回転抵抗を付与するには、グリル３の回転軸と略直角の方向からグリル３に適度な弾性力を付勢すればよい。例えば図５に示すように抵抗付与手段としてクッション材１８をグリル３の背面に貼設し、装着状態では押縮んだ状態で取付フランジ６に当るように構成する。あるいは、取付フランジ６の前面にクッション材１８を貼設し装着状態では押縮んだ状態でグリル３背面に当るように構成する。こうした構成によりグリル３には適度な回転抵抗が付与され無闇に回転したりせず装着状態の安定性が増す。このような構成を採用すれば、質量の偏りがあるグリル３でも壁構造に対する取付けに対応することが可能になる。これ以外の機能は実施の形態１のものと同じである。
【００２０】
【発明の効果】
請求項１の発明によれば、グリルの意匠を仕切構造の室内側面の模様や目地等の調子に容易に合わせることができる、取付状態での外観性の良い換気装置が得られる。
【００２１】
請求項２の発明によれば、請求項１に係る前記効果とともにグリルに歪みが生じてもグリルの離脱を防止でき、グリルの安定性が増す。
【００２２】
請求項３の発明によれば、請求項１又は請求項２のいずれかに係る前記効果とともにグリルの取外性が向上する。
【００２３】
請求項４の発明によれば、請求項１〜請求項３までのいずれかに係る前記効果とともにグリルの安定性が増す。
【図面の簡単な説明】
【図１】  実施の形態１の換気装置を示す斜視図である。
【図２】  実施の形態１の換気装置を一部を破断して示す正面図である。
【図３】  実施の形態１の換気装置を取付状態で示す一部破断部分側面図である。
【図４】  図３のＡ矢印部の拡大図である。
【図５】  実施の形態２の換気装置の要部を拡大して示す断面図である。
【図６】  従来の換気装置を一部を破断して示す正面図である。
【符号の説明】
１  仕切構造、  ２  本体、３  グリル、  ４  室内吸込口、  ６  取付フランジ、  ７  円形係合部、  １１  掛止構造、  １５  小突起、  １８  クッション材。
【図１】
0003656479.tif 000002
【図２】
0003656479.tif 000003
【図３】
0003656479.tif 000004
【図４】
0003656479.tif 000005
【図５】
0003656479.tif 000006
【図６】
0003656479.tif 000007